【手続補正書】
【提出日】平成28年6月20日(2016.6.20)
【手続補正１】
【補正対象書類名】特許請求の範囲
【補正対象項目名】全文
【補正方法】変更
【補正の内容】
【特許請求の範囲】
【請求項１】
物体側から像側へ順に、回折光学素子を含む前側レンズ群と、開口絞りと、少なくとも１つの正レンズを含む後側レンズ群と、を有し、
以下の条件を満足することを特徴とする光学系。
１．５５≦Ｎｄｓｐ≦１．７０
３０．０≦νｄｓｐ≦５０．０
５．０×１０−４≦ΔθｄＣｓｐ≦５．０×１０−３
１０．０≦｜ｈｓｐ／ｈｂｓｐ｜≦１５．０
ただし、Ｎｄｓｐおよびνｄｓｐのそれぞれは、前記少なくとも１つの正レンズのうち最も前記開口絞り側に配置された絞り側正レンズのｄ線に対する屈折率およびアッベ数であり、ΔθｄＣｓｐは、Ｎｇｓｐ，ＮＣｓｐおよびＮＦｓｐをそれぞれ前記絞り側正レンズのｇ線，Ｃ線およびＦ線に対する屈折率とし、θｄＣｓｐおよびθｇｄｓｐをそれぞれθｄＣｓｐ＝（Ｎｄｓｐ−ＮＣｓｐ）／（ＮＦｓｐ−ＮＣｓｐ）およびθｇｄｓｐ＝（Ｎｇｓｐ−Ｎｄｓｐ）／（ＮＦｓｐ−ＮＣｓｐ）とするときに、ΔθｄＣｓｐ＝θｄＣｓｐ−（−０．１７０４１×θｇｄｓｐ＋０．５１３５７７）で定義される値であり、ｈｓｐは、前記絞り側正レンズの入射面における軸上近軸光線の光軸からの高さであり、ｈｂｓｐは、前記絞り側正レンズの入射面における瞳近軸光線の光軸からの高さである。
【請求項２】
以下の条件を満足することを特徴とする請求項１に記載の光学系。
０．１０≦（ｆｓｐ／Ｌｓｐ−ｉｍｇ）／（Ｌｔｏｔ／ｆ）≦１．００
ただし、ｆは前記光学系の全系の無限遠物体に対する合焦時の焦点距離であり、ｆｓｐは前記絞り側正レンズの空気中での焦点距離であり、Ｌｔｏｔは前記光学系の全系の無限遠物体に対する合焦時における光学全長であり、Ｌｓｐ−ｉｍｇは前記絞り側正レンズの物体側のレンズ面から前記光学系の像面までの光軸上での距離である。
【請求項３】
前記後側レンズ群は少なくとも１つの負レンズを含み、以下の条件を満足することを特徴とする請求項１または２に記載の光学系。
１．７５≦Ｎｄｓｎ≦１．９５
１５．０≦νｄｓｎ≦３０．０
−１．００×１０−３≦ΔθｄＣｓｎ≦−１．００×１０−６
ただし、Ｎｄｓｎおよびνｄｓｎのそれぞれは、前記少なくとも１つの負レンズのうち最も前記開口絞り側に配置された絞り側負レンズのｄ線に対する屈折率およびアッベ数であり、ΔθｄＣｓｎは、Ｎｇｓｎ，ＮＣｓｎおよびＮＦｓｎをそれぞれ前記絞り側負レンズのｇ線，Ｃ線およびＦ線に対する屈折率とし、θｄＣｓnおよびθｇｄｓnをそれぞれθｄＣｓｎ＝（Ｎｄｓｎ−ＮＣｓｎ）／（ＮＦｓｎ−ＮＣｓｎ）およびθｇｄｓｎ＝（Ｎｇｓｎ−Ｎｄｓｎ）／（ＮＦｓｎ−ＮＣｓｎ）とするときに、ΔθｄＣｓｎ＝θｄＣｓｎ−（−０．１７０４１×θｇｄｓｎ＋０．５１３５７７）で定義される値である。
【請求項４】
以下の条件を満足することを特徴とする請求項３に記載の光学系。
０．１０≦｜（ｆｓｎ／Ｌｓｎ−ｉｍｇ）／（Ｌｔｏｔ／ｆ）｜≦１．００
ただし、ｆは前記光学系の全系の無限遠物体に対する合焦時の焦点距離であり、ｆｓnは前記絞り側負レンズの空気中での焦点距離であり、Ｌｔｏｔは前記光学系の全系の無限遠物体に対する合焦時における光学全長であり、Ｌｓn−ｉｍｇは前記絞り側負レンズの物体側のレンズ面から前記光学系の像面までの光軸上での距離である。
【請求項５】
以下の条件を満足することを特徴とする請求項３または４に記載の光学系。
１．００≦｜（Ｎｄｓｎ×ｆｓｎ）／（Ｎｄｓｐ×ｆｓｐ）｜≦２．００
ただし、ｆｓｎは前記絞り側負レンズの空気中での焦点距離であり、ｆｓｐは前記絞り側正レンズの空気中での焦点距離である。
【請求項６】
前記絞り側正レンズおよび前記絞り側負レンズは、互いに接合されていることを特徴とする請求項１から５のいずれか一項に記載の光学系。
【請求項７】
以下の条件を満足することを特徴とする請求項１から６のいずれか一項に記載の光学系。
０．０１≦ｆ／ｆｄｏｅ≦０．１０
０．１０≦｜ｈｄｏｅ／ｈｂｄｏｅ｜≦１．５
ただし、ｆは前記光学系の全系の無限遠物体に対する合焦時の焦点距離であり、ｆｄｏｅは前記回折光学素子の回折面の焦点距離であり、ｈｄｏｅは前記回折面における軸上近軸光線の光軸からの高さであり、ｈｂｄｏｅは前記回折面における瞳近軸光線の光軸からの高さである。
【請求項８】
物体側から像側へ順に、回折光学素子を含む前側レンズ群と、開口絞りと、少なくとも１つの正レンズを含む後側レンズ群と、を有し、
以下の条件を満足することを特徴とする光学系。
１．５５≦Ｎｄｓｐ≦１．７０
３０．０≦νｄｓｐ≦５０．０
５．０×１０−４≦ΔθｄＣｓｐ≦５．０×１０−３
０．１０≦｜ｈｄｏｅ／ｈｂｄｏｅ｜≦１．５
ただし、Ｎｄｓｐおよびνｄｓｐのそれぞれは、前記少なくとも１つの正レンズのうち最も前記開口絞り側に配置された絞り側正レンズのｄ線に対する屈折率およびアッベ数であり、ΔθｄＣｓｐは、Ｎｇｓｐ，ＮＣｓｐおよびＮＦｓｐをそれぞれ前記絞り側正レンズのｇ線，Ｃ線およびＦ線に対する屈折率とし、θｄＣｓｐおよびθｇｄｓｐをそれぞれθｄＣｓｐ＝（Ｎｄｓｐ−ＮＣｓｐ）／（ＮＦｓｐ−ＮＣｓｐ）およびθｇｄｓｐ＝（Ｎｇｓｐ−Ｎｄｓｐ）／（ＮＦｓｐ−ＮＣｓｐ）とするときに、ΔθｄＣｓｐ＝θｄＣｓｐ−（−０．１７０４１×θｇｄｓｐ＋０．５１３５７７）で定義される値であり、ｈｄｏｅは、前記回折面における軸上近軸光線の光軸からの高さであり、ｈｂｄｏｅは、前記回折面における瞳近軸光線の光軸からの高さである。
【請求項９】
以下の条件を満足することを特徴とする請求項８に記載の光学系。
０．０１≦ｆ／ｆｄｏｅ≦０．１０
ただし、ｆは前記光学系の全系の無限遠物体に対する合焦時の焦点距離であり、ｆｄｏｅは前記回折光学素子の回折面の焦点距離である。
【請求項１０】
請求項１から９のいずれか１項に記載の光学系と、
該光学系を保持する鏡筒と、を有することを特徴とする光学機器。
【手続補正２】
【補正対象書類名】明細書
【補正対象項目名】００１０
【補正方法】変更
【補正の内容】
【００１０】
本発明の一側面としての光学系は、物体側から像側へ順に、回折光学素子を含む前側レンズ群と、開口絞りと、少なくとも１つの正レンズを含む後側レンズ群と、を有する。光学系は、以下の条件を満足する光学材料により形成されていることを特徴とする。
１．５５≦Ｎｄｓｐ≦１．７０
３０．０≦νｄｓｐ≦５０．０
５．０×１０−４≦ΔθｄＣｓｐ≦５．０×１０−３
１０．０≦｜ｈｓｐ／ｈｂｓｐ｜≦１５．０
ただし、Ｎｄｓｐおよびνｄｓｐのそれぞれは、少なくとも１つの正レンズのうち最も開口絞り側に配置された絞り側正レンズのｄ線に対する屈折率およびアッベ数である。また、ΔθｄＣｓｐは、Ｎｇｓｐ，ＮＣｓｐおよびＮＦｓｐをそれぞれ絞り側正レンズのｇ線，Ｃ線およびＦ線に対する屈折率とし、θｄＣｓｐおよびθｇｄｓｐをそれぞれθｄＣｓｐ＝（Ｎｄｓｐ−ＮＣｓｐ）／（ＮＦｓｐ−ＮＣｓｐ）およびθｇｄｓｐ＝（Ｎｇｓｐ−Ｎｄｓｐ）／（ＮＦｓｐ−ＮＣｓｐ）とするときに、ΔθｄＣｓｐ＝θｄＣｓｐ−（−０．１７０４１×θｇｄｓｐ＋０．５１３５７７）で定義される値であり、ｈｓｐは、絞り側正レンズの入射面における軸上近軸光線の光軸からの高さであり、ｈｂｓｐは、絞り側正レンズの入射面における瞳近軸光線の光軸からの高さである。
【手続補正３】
【補正対象書類名】明細書
【補正対象項目名】０１１１
【補正方法】変更
【補正の内容】
【０１１１】
【表１】
2015011171.tif 000001